(57)【要約】      （修正有）【課題】無線装置によって受信確認情報をバンドルする方法を提供する。【解決手段】第１の無線装置が、受信確認情報を送信するための方法を特定する無線リソース制御メッセージにおけるパラメータを受信する段階と、第２の無線装置から第１の送信を受信する段階と、第２の無線装置から第２の送信を受信する段階と、受信確認情報を送信するための方法を特定するパラメータに基づいて第１及び第２の送信のための受信確認情報を準備する段階と、第１のサブフレームにおいて第２の送信のための受信確認情報とともに第１の送信のための受信確認情報を送信する段階であって、第１のサブフレームは第１の送信及び第２の送信の受信に対応するサブフレームに続くものである、段階と、を実行する。【選択図】図２
2015039177.tif 000002
【特許請求の範囲】
【請求項１】
第１の無線装置により受信確認情報を提供する方法であって、
第２の無線装置からの第１の情報の受信に応じて、前記第１の無線装置により、前記第１の情報の受信確認情報の繰り返しのインスタンスを送信する準備をし、
前記第１の無線装置により、第１のフレーム構成において、前記受信確認情報の前記繰り返しのインスタンスのうち第１のインスタンスを送信し、第２の連続するフレーム構成において、前記繰り返しのインスタンスのうち第２のインスタンスを送信し、
前記第１の無線装置により、前記第２のフレーム構成において、前記第２の無線装置から受信した第２の情報に応じる更なる受信確認情報を送信することを有する方法。
【請求項２】
それぞれ第１及び第２のフレーム構成において前記受信確認情報の前記繰り返しのインスタンスを送信することは、それぞれ第１及び第２のEUTRA（Evolved  Universal  Terrestrial  Radio  Access）サブフレームにおいて前記受信確認情報の前記繰り返しのインスタンスを送信することを有する、請求項１に記載の方法。
【請求項３】
前記受信確認情報の前記第２のインスタンスを送信することは、前記第２のサブフレームの第１の情報ビットを使用することを有し、
前記更なる受信確認情報を送信することは、前記第２のサブフレームの第２の情報ビットを使用することを有する、請求項２に記載の方法。
【請求項４】
前記第１及び第２のビットを使用することは、第１及び第２のACK/NAKビットを使用することを有する、請求項３に記載の方法。
【請求項５】
上りリンク制御チャネルサブフレームにおいて前記第１及び第２のACK/NAKビットを変調することを更に有する、請求項４に記載の方法。
【請求項６】
前記第１及び第２のACK/NAKビットを使用することは、物理上りリンク制御チャネル（PUCCH）サブフレームにおいて上りリンク制御情報の第１及び第２のACK/NAKビットを使用することを有する、請求項４に記載の方法。
【請求項７】
それぞれ第１及び第２のフレーム構成において前記受信確認情報の前記繰り返しのインスタンスを送信することは、制御チャネルのそれぞれ第１及び第２のフレーム構成において前記受信確認情報の前記繰り返しのインスタンスを送信することを有し、
前記受信確認情報の前記第１のインスタンスは、前記制御チャネルの第１のフォーマットに従って送信され、
前記受信確認情報の前記第２のインスタンスは、前記制御チャネルの第２の異なるフォーマットに従って送信される、請求項１に記載の方法。
【請求項８】
前記制御チャネルは、物理上りリンク制御チャネル（PUCCH）である、請求項７に記載の方法。
【請求項９】
物理下りリンクトラヒックチャネルで前記第１の情報を受信することを更に有する、請求項１に記載の方法。
【請求項１０】
前記第２の無線装置から第３の情報を受信し、
前記第１の無線装置により、第３のフレーム構成において、前記第３の情報の受信確認情報の繰り返しのインスタンスのうち第１のインスタンスを送信し、第４のフレーム構成において、前記第３の情報の前記受信確認情報の前記繰り返しのインスタンスのうち第２のインスタンスを送信することを更に有し、
前記第３の情報の前記受信確認情報の前記第１のインスタンスは、制御チャネルで送信され、
前記第３の情報の前記受信確認情報の前記第２のインスタンスは、トラヒックチャネルで送信される、請求項１に記載の方法。
【請求項１１】
前記制御チャネルは、物理上りリンク制御チャネル（PUCCH）であり、前記トラヒックチャネルは、物理上りリンク共有チャネル（PUSCH）である、請求項１０に記載の方法。
【請求項１２】
上りリンクトラヒックチャネルは、前記第２のフレーム構成の時間間隔において通信されるようにスケジューリングされ、
前記方法は、
上りリンク制御チャネルで前記第２の繰り返しのインスタンスを伝達する前記第２のフレーム構成が送信されるように、前記上りリンクトラヒックチャネルを送信しないことを決定することを更に有する、請求項１に記載の方法。
【請求項１３】
前記第１の無線装置により、前記第２の無線装置から受信した情報に応じて前記第１の無線装置により送信する受信確認情報の繰り返しのインスタンスの数を構成するために、前記第２の無線装置により設定されたパラメータを受信することを更に有する、請求項１に記載の方法。
【請求項１４】
第２の無線装置と無線で通信するインタフェースと、プロセッサとを有する第１の無線装置であって、
前記プロセッサは、
前記第２の無線装置からの第１の情報の受信に応じて、前記第１の情報の受信確認情報の繰り返しのインスタンスを送信する準備をし、
第１のフレーム構成において、前記受信確認情報の前記繰り返しのインスタンスのうち第１のインスタンスを送信し、第２の連続するフレーム構成において、前記繰り返しのインスタンスのうち第２のインスタンスを送信し、
前記第２のフレーム構成において、前記第１の無線装置から受信した第２の情報に応じる更なる受信確認情報を送信するように構成される第１の無線装置。
【請求項１５】
移動局を有する、請求項１４に記載の第１の無線装置。
【請求項１６】
基地局を有する、請求項１４に記載の第１の無線装置。
【請求項１７】
前記プロセッサは、受信確認情報の繰り返しのインスタンスの数を構成するパラメータを更に受信するように構成され、
前記受信確認情報の前記繰り返しのインスタンスを送信する準備をすることは、前記受信したパラメータに従う、請求項１４に記載の第１の無線装置。
【請求項１８】
前記受信したパラメータは、３つ以上の数を指定し、
前記プロセッサは、第３のフレーム構成において、前記繰り返しのインスタンスのうち第３のインスタンスを更に送信するように構成される、請求項１７に記載の第１の無線装置。
【請求項１９】
前記第１及び第２の情報を受信することは、少なくとも１つのフレーム構成により分離されたそれぞれ第１及び第２のトラヒックフレーム構成において、前記第１及び第２の情報を受信することを有する、請求項１８に記載の第１の無線装置。
【請求項２０】
第１の無線装置により実行されたときに、前記第１の無線装置に対して、
第２の無線装置からの第１の情報を受信させ、
前記第１の情報の受信確認情報の繰り返しのインスタンスを送信させ、前記受信確認情報の前記繰り返しのインスタンスは、連続するフレーム構成において前記第２の無線装置に送信され、
前記第２の無線装置からの第２の情報を受信させ、
前記第１の情報の前記受信確認情報の前記繰り返しのインスタンスのうち１つを伝達する１つのフレーム構成に含まれる前記第２の情報の更なる受信確認情報を送信させる
命令を含む少なくとも１つのコンピュータ可読記憶媒体を有する物。
【請求項２１】
前記フレーム構成は、EUTRA（Evolved  Universal  Terrestrial  Radio  Access）サブフレームである、請求項２０に記載の物。
【発明の詳細な説明】
【背景技術】
【０００１】
移動局が他の移動局又は有線ネットワークに結合された有線端末との通信を実行可能にするために、様々な無線アクセス技術が提案又は実装されている。無線アクセス技術の例は、3GPP（Third  Generation  Partnership  Project）により規定されているGSM（Global  System  for  Mobile  communications）及びUMTS（Universal  Mobile  Telecommunications  System）技術と、3GPP2により規定されているCDMA2000（Code  Division  Multiple  Access  2000）技術とを含む。
【０００２】
スペクトル効率を向上するため、サービスを向上するため、コストを低減するため等の無線アクセス技術の継続する進展の一部として、新しい標準が提案されている。１つのこのような新しい標準は、3GPPからのLTE（Long  Term  Evolution）（EUTRA（Evolved  Universal  Terrestrial  Radio  Access）とも呼ばれる）標準である。LTE標準は、UMTS無線ネットワークを拡張することを試みる。
【０００３】
無線通信ネットワークでは、情報は、移動局と基地局との間において無線で通信される。下りリンク（基地局から移動局へ）で受信した情報に応じて、移動局は、データの成功した受信についての肯定応答（ACK：positive  acknowledge）又はデータがうまく受信されなかったことを示す否定応答（NAＫ：negative  acknowledgement）を提供するように、受信確認情報（acknowledgement  information）を送信することができる。信頼性を向上させるために、LTEの最近の進展は、移動局が基地局からの下りリンク情報に応じてACK又はNAKの送信を繰り返すACK/NAKの繰り返しを使用し、基地局がACK又はNAKを受信する可能性を向上させる。これは、移動局がセル又はセルセクタの端のように比較的悪い無線状況を有するセル又はセルセクタの領域に存在するときに、又は低減した信号強度又は増加した雑音を生じ得る障害物に関連する他の位置に存在するときに、特に有用になり得る。
【発明の概要】
【発明が解決しようとする課題】
【０００４】
ACK/NAKの繰り返しに関連する問題は、下りリンク情報の連続して受信した部分に応じて、このような情報の連続して受信した部分の受信確認情報が衝突し得ることにあり、これは、基地局が下りリンク情報の連続して送信した部分に関連する受信確認情報を確実に受信しないことを生じ得る。
【課題を解決するための手段】
【０００５】
概して、好ましい実施例によれば、第１の無線装置により受信確認情報を提供する方法は、第１の無線装置が第２の無線装置からの第１の情報の受信に応じて、それぞれ第１及び第２のフレーム構成において受信確認情報の繰り返しのインスタンスを送信することを有する。更に、第１の無線装置はまた、第２の無線装置から受信した第２の情報に応じる更なる受信確認情報を第２のフレーム構成において送信する。
【図面の簡単な説明】
【０００６】
【図１】本発明の或る好ましい実施例を組み込んだ無線通信ネットワークを含む例示的な構成のブロック図
【図２】或る好ましい実施例による下りリンクデータ及び受信確認情報の応答する繰り返しのインスタンスの送信
【図３】或る好ましい実施例による下りリンクデータ及び受信確認情報の応答する繰り返しのインスタンスの送信
【図４】実施例に従って受信確認情報を送信する処理のフローチャート
【発明を実施するための形態】
【０００７】
他の特徴又は代替の特徴は、以下の説明、図面及び特許請求の範囲から明らかになる。
【０００８】
本発明のいくつかの実施例について図面を参照して説明する。
【０００９】
或る好ましい実施例によれば、複数の受信情報に応じて送信された受信確認情報の衝突の問題を回避しつつ、受信確認情報の繰り返しのインスタンスの送信を可能にする技術又は機構が提供される。或る実施例では、受信確認情報は、基地局からの下りリンクデータの受信に応じて、上りリンク（移動局から基地局へ）で移動局により送信される。受信確認情報は、データの成功した受信を示す肯定応答（ACK：positive  acknowledge）又はデータの成功しなかった受信を示す否定応答（NAＫ：negative  acknowledgement）を含む。
【００１０】
特定の状況で信頼性を向上させるために、移動局は、ACK/NAK情報の複数のインスタンスが下りリンクデータの特定の部分の受信に応じて送信されるACK/NAKの繰り返しを実行するように構成されてもよい。或る実装では、移動局で構成されるACK/NAKの繰り返しの数は２でもよい。他の実装では、移動局は、ACK/NAK情報の３つ又は４つ以上のインスタンスを送信するように構成されてもよい（ACK/NAKの繰り返しの数は３又は４以上である）。ACK/NAKの繰り返しは、移動局が信頼性のない無線シグナリングに関連するセル又はセルセクタの領域に存在する場合に有用である。例えば、移動局は、セル又はセルセクタの端に存在してもよく、移動局は、信号強度を低減する障害物又は雑音を増加する障害物のある領域に存在してもよい。
【００１１】
ACK/NAKの繰り返しを実行することに関連する問題は、移動局が下りリンクデータの連続して受信した部分に応じてそれぞれ繰り返しのACK/NAKを送信する場合に、ACK/NAK情報の衝突の可能性がある点である。或る実施例によれば、ACK/NAK情報の衝突の可能性を除去又は低減するために、ACK/NAKの繰り返しのインスタンスは、（下りリンクデータの異なる部分に応じる）複数のACK/NAKが一緒に送信されることを可能にするフォーマットで通信されてもよい。従って、この所定のフォーマットは、データの第１の部分に応じる繰り返しのACK/NAKが、下りリンクデータの第２の部分に応じて第１のACK/NAKと共に移動局により送信されることを可能にする。
【００１２】
或る実施例では、無線通信ネットワークは、3GPP（Third  Generation  Partnership  Project）からのLTE（Long  Term  Evolution）標準に従う。LTE標準は、UMTS（Universal  Mobile  Telecommunications  System）技術の拡張である。LTE標準はまた、EUTRA（Evolved  Universal  Terrestrial  Radio  Access）標準とも呼ばれる。LTE（又はEUTRA）無線通信ネットワークへの言及は、現在存在する標準又は時間と共に進展する標準のように、3GPPにより開発されているLTE（又はEUTRA）標準の要件に従う無線通信ネットワークを示す。LTE（又はEUTRA）は、現在のLTE（又はEUTRA）標準を示してもよく、時間と共に行われるLTE（又はEUTRA）標準の変更を示してもよい点に留意すべきである。将来的にLTE（又はEUTRA）から進展した標準が他の名前で呼ばれることがあることが想定される。
ここで使用される“LTE”又は“EUTRA”という用語は、同様にこのような将来の標準をカバーすることを意図する。代替実施例では、他の標準に従った無線通信ネットワークが使用されてもよい。
【００１３】
下りリンクデータに応じて繰り返しの上りリンクACK/NAKを送信することに言及が行われるが、本発明の他の好ましい実施例は、基地局が移動局からの上りリンクデータに応じて下りリンクACK/NAKを送信する場合にも適用可能である点に留意すべきである。更に、受信したデータに応じてACK/NAKを送信することに言及が行われるが、ACK/NAKは、制御シグナリングに応じて送信されてもよい点に留意すべきである。
【００１４】
図１は、本発明の或る実施例が提供され得る例示的な無線ネットワークを示している。
無線ネットワークは、無線信号をセルセクタ108に送信するアンテナアレイ又は他のアンテナアセンブリ102を含む基地局100を含む。セルセクタは、セルラ基地局のセルの１つの区分である。代替の実装では、要素108は、全体のセルを表してもよい。より一般的には、“セルセグメント”は、セル又はセルセクタを示す。
【００１５】
図１には１つのみの基地局が示されているが、無線ネットワークは典型的に複数の基地局を含む点に留意すべきである。或る実施例では、無線ネットワークは、LTE無線ネットワークである。
【００１６】
LTE無線ネットワークでは、基地局100は、アンテナアレイ102を含む基地送受信局を含む拡張ノードB（eNode  B：enhanced  node  B）である。基地局100はまた、拡張ノードBと協働する無線ネットワークコントローラを含んでもよい。無線ネットワークコントローラ及び／又は拡張ノードBは、無線リソース管理、移動局のモビリティを管理するモビリティ管理、トラヒックのルーティング等のタスクの１つ以上を実行してもよい。１つの無線ネットワークコントローラは、複数のeNode  Bにアクセスしてもよく、或いは、eNode  Bは１つより多くの無線アクセスコントローラによりアクセスされてもよい点に留意すべきである。
【００１７】
より一般的には、“基地局”という用語は、セルラネットワークの基地局、何らかの種類の無線ネットワークで使用されるアクセスポイント、又は移動局と通信する何らかの種類の無線送信機を示してもよい。
【００１８】
図１に示すように、基地局100は、記憶装置124に接続された１つ以上の中央処理装置（CPU）122を含む。更に、基地局100は、基地局100のタスクを実行するためにCPU122で実行可能なソフトウェア126を含む。
【００１９】
図１の移動局110はまた、記憶装置132に接続された１つ以上のCPU130を含む。移動局110はまた、移動局110のタスクを実行するためにCPU130で実行可能なソフトウェア134を含む。更に、移動局100は、基地局と無線で通信するインタフェース131を含む。
【００２０】
基地局100は、サービング及び／又はパケットデータネットワーク（PDN：packet  data  network）ゲートウェイ112に接続される。サービング及び／又はPDNゲートウェイ112は、拡張ノードBに対するユーザプレーンインタフェースを終端し、外部ネットワーク114へのパケットルーティング及び転送の役目を負う。外部ネットワーク114は、インターネットのようなパケットデータネットワーク又は他の種類のネットワークでもよい。
【００２１】
図１に示す構成は、例示目的で提供されている。他の実装では、他の無線ネットワーク構成が使用される。
【００２２】
或る実施例によれば、LTE無線通信ネットワークの下りリンクデータは、PDSCH（physical  downlink  shared  channel）サブフレームにおいて送信される。PDSCHは、トラヒックチャネルである。他の実装では、下りリンクデータは、他の下りリンクトラヒックチャネルで送信されてもよい。LTEサブフレームは、LTEフレームの一部である。LTEフレームは、所定の数のタイムスロットに分割される所定の全体の時間の長さを有する。LTEフレームは、複数のサブフレームで構成されており、LTEサブフレームは、LTEフレームの或る所定の数のスロット（例えば、２つのスロット）を含んでもよい。
【００２３】
PDSCHサブフレームにおいて下りリンクデータを受信したことに応じて、移動局は、PDSCHサブフレームにおける下りリンクデータの成功した受信又は成功しなかった受信を示す受信確認情報（ACK/NAK）を送信する。或る実施例では、ACK/NAKは、PUCCH（physical  uplink  control  channel）サブフレームにおいて上りリンク方向に移動局により送信される。より一般的には、ACK/NAKの繰り返しのインスタンスは、連続するフレーム構成において送信される。“フレーム構成（frame  structure）は、サブフレーム又は他のフレーム構成を含んでもよい。
【００２４】
前述のように、ACK/NAKの繰り返しは、基地局100が通信している少なくとも１つの移動局について可能になってもよい。移動局がACK/NAKの２つの繰り返しのインスタンスを送信することによりACK/NAKの繰り返しを実行するように構成されている場合、移動局は、連続するPUCCHサブフレームにおいてACK/NAKの２つの繰り返しのインスタンスを送信することにより、下りリンクPDSCHサブフレームに応答する。例えば、図２に示すように、PDSCHサブフレームnにおいて受信した下りリンクデータ_1に応じて、ACK/NAKの繰り返しを実行するように構成された移動局は、連続するPUCCHサブフレームn+4及びn+5においてACK/NAKの２つのインスタンス（それぞれのインスタンスはACK/NAK_1として示される）を送信する。
【００２５】
図２はまた、下りリンクデータの他の部分（データ_2）が、次の連続するPDSCHサブフレーム（n+1）において同じ移動局に送信されるようにスケジューリングされていることを示す。移動局はACK/NAKの繰り返しを実行するように構成されているため、移動局は、連続するPUCCHサブフレーム（n+5、n+6）において、ACK/NAK_2の２つの繰り返しのインスタンスを送信する。
【００２６】
この例では、ACK/NAK_1の１つのインスタンスとACK/NAK_2の１つのインスタンスとが同じPUCCHサブフレーム（n+5）において送信されるようにスケジューリングされる点に留意すべきである。適切に処理されない場合、ACK/NAK_1は、PUCCHサブフレームn+5においてACK/NAK_2と衝突する。
【００２７】
この問題に対処するため、或る実施例によれば、ACK/NAK_1及びACK/NAK_2は、複数の異なるACK/NAK情報の通信を可能にする所定のフォーマットを使用して、PUCCHサブフレームn+5において一緒に送信される。或る実施例では、ACK/NAKは、単一のビットとして送信され、第１の値（例えば、“1”）を有するビットがACKを表し、第２の値（例えば、“0”）を有するビットがNAKを表す。このような実施例では、２つのACK/NAK情報の送信は、PUCCHサブフレームにおいて２つの情報ビットを送信することを示す（例えば、ACK/NAK_1が第１のビットで送信され、ACK/NAK_2が第２のビットで送信される）。
【００２８】
１つの例示的な実装では、同じPUCCHサブフレームにおいて複数の異なるACK/NAKビットの送信を可能にする所定のフォーマットは、フォーマット1bと呼ばれる。フォーマット1bは、単一のACK/NAKビットがPUCCHサブフレームで許可されている異なるPUCCHフォーマット1aとは異なる。図２の例では、PUCCHサブフレームn+4において送信されるACK/NAK_1はフォーマット1aに従い、PUCCHサブフレームn+6におけるACK/NAK_2もフォーマット1aに従う。しかし、PUCCHサブフレームn+5におけるACK/NAK_1及びACK/NAK_2は、フォーマット1bに従って一緒に送信される。１つの実装では、２つのACK/NAKビットは、QPSK（quadrature  phase-shift  keying）変調を使用して一緒に送信される。
【００２９】
受信確認情報を通信するために異なるフォーマットを使用することができることは、ACK/NAKの衝突の可能性を回避又は低減しつつ、ACK/NAKの繰り返しを実行する際の大きい柔軟性を可能にする。
【００３０】
図３は、ACK/NAKの繰り返しが３に設定されている他の例を示している（換言すると、ACK/NAKの３つのインスタンスが、特定のPDSCHサブフレームにおける下りリンクデータに応じて移動局により送信される）。ACK/NAKの繰り返しが３に設定されている場合、同じ移動局のデータは、２つより多くの連続するPDSCHサブフレームにおいて下りリンク方向に送信できない。同じ移動局のデータは、２つの連続するPDSCHサブフレームにおいて送信可能であり、これに続いて、移動局の下りリンクデータを含まない中間のサブフレーム期間が存在し、これに続いて、同じ移動局のデータを含む他のPDSCHサブフレームが存在する。図３の例では、データ_1、データ_2及びデータ_3は、３つの異なるPDSCHサブフレームにおいて同じ移動局に送信される。データ_1はPDSCHサブフレームnにおいて送信され、データ_2はPDSCHサブフレームn+1において送信され、データ_3はPDSCHサブフレームn+3において送信される。中間のサブフレームn+2（これは移動局の下りリンクデータを含まない）は、データ_2及びデータ_3の送信を分離するために提供される。下りリンクデータは、２つの連続するPDSCHサブフレーム毎に同じ移動局にスケジューリングされてもよい。しかし、２つの連続するサブフレームの後に、他のPDSCHサブフレームが同じ移動局に送信され得る前に、分離サブフレームが提供されなければならない。
【００３１】
更に図３に示すように、データ_1のACK/NAK_1は、連続するPUCCHサブフレームn+4、n+5及びn+6において３つの繰り返しのインスタンスとして送信される。（データ_2に応じる）ACK/NAK_2の３つの繰り返しのインスタンスは、PUCCHサブフレームn+5、n+6及びn+7において送信される。サブフレームn+5及びn+6におけるPUCCHは、ACK/NAK_1及びACK/NAK_2の双方をそれぞれ含む点に留意すべきである。移動局のデータは、PDSCHサブフレームn+2において送信されない。この理由は、このようにすることにより、PUCCHサブフレームn+6におけるACK/NAKを必要とすることになり、PUCCHサブフレームn+6は既に２つの他のACK/NAKビットを送信しているからである。従って、データ_2及びデータ_3との間に分離PDSCHサブフレームが提供され、これにより、ACK/NAK_3はPUCCHサブフレームn+6ではなく、PUCCHサブフレームn+7において開始する。
【００３２】
図４は、ACK/NAKの繰り返しを実行するように構成されることを仮定する移動局110において実行される実施例による処理のフローチャートである。第１の下りリンクデータは、下りリンクチャネルサブフレーム（PDSCHサブフレーム等）において受信される（402）。
第２の下りリンクデータは、他のPDSCHサブフレームにおいて受信される（404）。
他のPDSCHサブフレームは、第１の下りリンクデータを含むPDSCHサブフレームと連続してもよい。第１及び第２の下りリンクデータに応じて、移動局は、第１及び第２の下りリンクデータに応じる受信確認情報の繰り返しのインスタンスを準備する（406）。移動局は、それぞれの下りリンクデータに応じて２つの繰り返しのインスタンスを送信するように構成されていることを仮定する。
【００３３】
移動局は、第１及び第２の連続する上りリンク制御チャネル（例えば、PUCCH）サブフレームにおいて、第１の下りリンクデータに応じる受信確認情報の２つの繰り返しのインスタンスを送信する（408）。第１の上りリンク制御チャネルは、第１の下りリンクデータを伝達する下りリンクサブフレームからある程度オフセットされている（ずれている）。移動局は、第２及び第３の連続する上りリンク制御チャネルサブフレームにおいて、第２の下りリンクデータに応じる受信確認情報の繰り返しのインスタンスを送信する（410）。
【００３４】
図４の処理を実行する移動局について言及されているが、基地局も、図４の処理を実行するように構成されてもよい点に留意すべきである。この場合、基地局は、移動局から上りリンク情報データ（及び／又はシグナリング）の受信を受信確認する。
【００３５】
代替実施例では、移動局がACK/NAKの繰り返しのインスタンスを送信するために、スケジューリングされたPUSCH（physical  uplink  shared  channel）を使用してもよいことが考えられる。従って、例えば図２を参照して、PUSCHがサブフレームn+5において送信される場合、PUCCHサブフレームn+5において送信されることになっていたACK/NAK_1は、その代わりにPUSCHサブフレームn+5において送信されてもよい。第２の繰り返しのACK/NAK_1のインスタンスは、LTE標準に従ってPUSCHのデータと多重されてもよい。
【００３６】
更に他の例として、PUSCH送信がサブフレームn+5でスケジューリングされている場合、このPUSCH送信は、PUCCHサブフレームn+5において送信されるようにスケジューリングされたACK/NAKとの衝突を回避するためにスキップされてもよい。
【００３７】
所与の移動局のACK/NAKの繰り返しは、基地局により構成可能である。例えば、基地局は、繰り返しの数（2、3、4又はそれ以上）を指定するパラメータを移動局に送信してもよい。移動局特有のACK/NAKの繰り返しのパラメータは、RRC（radio  resource  control）シグナリング又は他の種類の制御シグナリングを使用することにより構成されてもよい。
【００３８】
前述のソフトウェア（図１のソフトウェア126及び130を含む）の命令は、プロセッサ（図１の１つ以上のCPU122及び130等）での実行のためにロードされる。プロセッサは、マイクロプロセッサ、マイクロコントローラ、プロセッサモジュール若しくはサブシステム（１つ以上のマイクロプロセッサ又はマイクロコントローラを含む）、又は他の制御若しくは計算装置を含む。ここで使用される“プロセッサ”は、単一の構成要素を示してもよく、複数の構成要素を示してもよい（例えば、１つのCPUを示してもよく、複数のCPUを示してもよい）。
【００３９】
（ソフトウェア）のデータ及び命令は、各記憶装置に格納される。各記憶装置は、１つ以上のコンピュータ可読記憶媒体又はコンピュータ使用可能記憶媒体として実装される。
記憶媒体は、半導体メモリ装置（ダイナミック又はスタティックランダムアクセスメモリ（DRAM又はSRAM）、消去可能及びプログラム可能読み取り専用メモリ（EPROM）、電気的消去可能及びプログラム可能読み取り専用メモリ（EEPROM）及びフラッシュメモリ等）、磁気ディスク（固定ディスク、フロッピーディスク及び取り外し可能ディスク等）、他の磁気媒体（テープを含む）、及び光学媒体（コンパクトディスク（CD）又はデジタルビデオディスク（DVD）等）を含む異なる種類のメモリを含む。前述のソフトウェアの命令は、１つのコンピュータ可読記憶媒体又はコンピュータ使用可能記憶媒体に提供されてもよく、或いは場合によっては複数のノードを有する大規模システムに分散された複数のコンピュータ可読記憶媒体又はコンピュータ使用可能記憶媒体に提供されてもよい。このようなコンピュータ可読記憶媒体又はコンピュータ使用可能記憶媒体は、物（又は製造物）の一部であると考えられる。物又は製造物は、如何なる製造された単一の構成要素又は複数の構成要素を示してもよい。
【００４０】
前述の説明では、本発明の理解を提供するために複数の詳細が示されている。しかし、本発明はこれらの詳細なしに実施されてもよいことが、当業者によりわかる。本発明は、限られた数の実施例に関して開示されているが、当業者は複数の変更及び変形を認識する。特許請求の範囲は、本発明の真の要旨及び範囲内に入るこのような変更及び変形をカバーすることを意図する。
【図１】
2015039177.tif 000003
【図２】
2015039177.tif 000004
【図３】
2015039177.tif 000005
【図４】
2015039177.tif 000006
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
第１の無線装置によって受信確認情報をバンドルする方法であって、
第１の無線装置が、
受信確認情報を送信するための方法を特定する無線リソース制御メッセージにおけるパラメータを受信する段階と、
第２の無線装置から第１の送信を受信する段階と、
前記第２の無線装置から第２の送信を受信する段階と、
受信確認情報を送信するための方法を特定するパラメータに基づいて前記第１及び第２の送信のための受信確認情報を準備する段階と、
第１のサブフレームにおいて前記第２の送信のための受信確認情報とともに前記第１の送信のための受信確認情報を送信する段階であって、前記第１のサブフレームは前記第１の送信及び第２の送信の受信に対応するサブフレームに続くものである、段階と、
を実行する方法。
【請求項２】
前記受信確認情報は受信確認メッセージを含む請求項１に記載の方法。
【請求項３】
前記受信確認情報は否定応答メッセージを含む請求項１に記載の方法。
【請求項４】
前記第１の送信のための前記受信確認情報及び前記第２の送信のための前記受信確認情報は、受信確認情報の複数の異なる部分の通信を可能とする所定のフォーマットを使用して、一緒に送信される請求項１に記載の方法。
【請求項５】
前記第２の送信のための受信確認情報とともに前記第１の送信のための受信確認情報を送信する段階は、肯定応答または否定応答を示す少なくとも１ビットを送信する段階を含む、請求項１に記載の方法。
【請求項６】
前記第２の送信のための受信確認情報とともに前記第１の送信のための受信確認情報を送信する段階は、前記第１のサブフレームにおける２ビットを送信することにより実行される、請求項１に記載の方法。
【請求項７】
前記第２の送信のための受信確認情報とともに前記第１の送信のための受信確認情報を送信する段階は、単一送信のための受信確認情報を送信するために使用されるサブフレームフォーマットとは異なるサブフレームフォーマットを用いる段階を含む、請求項１に記載の方法。
【請求項８】
前記第２の送信のための受信確認情報とともに前記第１の送信のための受信確認情報を送信する段階は、前記第１の送信のための第１のサブフレームの第１の情報ビットを用いる段階と、前記第２の送信のための第１のサブフレームの第２の情報ビットを用いる段階と、を含む、請求項１に記載の方法。
【請求項９】
インタフェースと、
前記インタフェースに接続されたプロセッサと、
を含む無線装置であって、
前記インタフェースと前記プロセッサは、
受信確認情報を送信するための方法を特定する無線リソース制御メッセージにおけるパラメータを受信し、
第２の無線装置から第１の送信を受信し、
前記第２の無線装置から第２の送信を受信し、
受信確認情報を送信するための方法を特定するパラメータに基づいて前記第１及び第２の送信のための受信確認情報を準備し、
前記第１の送信及び第２の送信の受信に対応するサブフレームに続く第１のサブフレームにおいて前記第２の送信のための受信確認情報とともに前記第１の送信のための受信確認情報を送信する、無線装置。
【請求項１０】
前記第１の無線装置は移動局を含み、前記第２の無線装置は基地局を含む、請求項９に記載の無線装置。
【請求項１１】
前記受信確認情報は受信確認メッセージを含む請求項９に記載の無線装置。
【請求項１２】
前記受信確認情報は否定応答メッセージを含む請求項９に記載の無線装置。
【請求項１３】
前記第１の送信のための前記受信確認情報及び前記第２の送信のための前記受信確認情報は、受信確認情報の複数の異なる部分の通信を可能とする所定のフォーマットを使用して、一緒に送信される請求項９に記載の無線装置。
【請求項１４】
前記第２の送信のための受信確認情報とともに前記第１の送信のための受信確認情報を送信する段階は、肯定応答または否定応答を示す少なくとも１ビットを送信する段階を含む、請求項９に記載の無線装置。
【請求項１５】
前記第２の送信のための受信確認情報とともに前記第１の送信のための受信確認情報を送信する段階は、前記第１のサブフレームにおける２ビットを送信することにより実行される、請求項９に記載の無線装置。
【請求項１６】
前記第２の送信のための受信確認情報とともに前記第１の送信のための受信確認情報を送信する段階は、単一送信のための受信確認情報を送信するために使用されるサブフレームフォーマットとは異なるサブフレームフォーマットを用いる段階を含む、請求項９に記載の無線装置。
【請求項１７】
前記第２の送信のための受信確認情報とともに前記第１の送信のための受信確認情報を送信する段階は、前記第１の送信のための第１のサブフレームの第１の情報ビットを用いる段階と、前記第２の送信のための第１のサブフレームの第２の情報ビットを用いる段階と、を含む、請求項９に記載の無線装置。
【請求項１８】
複数の命令を含む少なくとも１つのコンピュータ読み取り可能な記憶媒体であって、前記複数の命令は第１の無線装置によって実行されると当該第１の無線装置に、
受信確認情報を送信するための方法を特定する無線リソース制御メッセージにおけるパラメータを受信する段階と、
第２の無線装置から第１の送信を受信する段階と、
前記第２の無線装置から第２の送信を受信する段階と、
受信確認情報を送信するための方法を特定するパラメータに基づいて前記第１及び第２の送信のための受信確認情報を準備する段階と、
第１のサブフレームにおいて前記第２の送信のための受信確認情報とともに前記第１の送信のための受信確認情報を送信する段階であって、前記第１のサブフレームは前記第１の送信及び第２の送信の受信に対応するサブフレームに続くものである、段階と、
を実行させる、少なくとも１つのコンピュータ読み取り可能な記憶媒体。
【請求項１９】
前記第１の送信のための前記受信確認情報及び前記第２の送信のための前記受信確認情報は、受信確認情報の複数の異なる部分の通信を可能とする所定のフォーマットを使用して、一緒に送信される請求項１８に記載の少なくとも１つのコンピュータ読み取り可能な記憶媒体。
【請求項２０】
前記第２の送信のための受信確認情報とともに前記第１の送信のための受信確認情報を送信する段階は、前記第１のサブフレームにおける２ビットを送信することにより実行される、請求項１８に記載の少なくとも１つのコンピュータ読み取り可能な記憶媒体。